(57)【要約】【課題】低コストで拡張性に優れた画像処理装置、プログラムおよび画像処理方法を提供する。【解決手段】制御部１０３ａは、ＨＤＤ１２２および第２の画像データ処理装置１２１が接続されている場合、読み取られたデジタル画像データに対して第１の画像データ処理装置１０２により書込み装置１０６の特性によらない画像処理を施して再利用可能なデジタル画像データを生成し、生成したデジタル画像データをＨＤＤ１２２に格納し、書込み装置１０６への出力指示に応じてＨＤＤ１２２からデジタル画像データを取得して、取得したデジタル画像データに対して第２の画像データ処理装置１２１により書込み装置１０６の特性に応じた画像処理を施して出力データを生成して書込み装置１０６に渡す。【選択図】        図１
2009071675.tif 000002
【特許請求の範囲】
【請求項１】
原稿を読取り電子化した画像データを得る画像読取手段と、
読み取られた前記画像データに対して画像処理を施す第１画像処理手段と、
前記第１画像処理手段により画像処理が施された前記画像データを格納する記憶部と、前記記憶部に格納された前記画像データを受け取って、前記第１画像処理手段とは異なる画像処理を施す第２画像処理手段と、を接続可能な制御手段と、
前記画像データの出力指示を受け付ける受付手段と、
出力指示の受付に応じて前記画像データを出力する少なくとも１以上の出力手段と、を備え、
前記制御手段は、前記記憶部および前記第２画像処理手段が接続されている場合、前記画像データに対して前記第１画像処理手段により前記出力手段の特性によらない画像処理を施して再利用可能な画像データを生成し、生成した画像データを前記記憶部に格納し、所望の出力手段への出力指示に応じて、取得した前記画像データに対して前記第２画像処理手段により前記出力手段の特性に応じた画像処理を施して出力データを生成して当該出力手段に渡すことを特徴とする画像処理装置。
【請求項２】
前記制御手段は、さらに、前記記憶部および前記第２画像処理手段が接続されている場合、前記第２画像処理手段により前記画像データの画像領域の一部を削除する画像処理を施して前記出力データを生成することを特徴とする請求項１に記載の画像処理装置。
【請求項３】
前記制御手段は、さらに、前記記憶部および前記第２画像処理手段が接続されている場合、前記第２画像処理手段により前記画像データの画像領域に新たな画像領域を追加する画像処理を施して前記出力データを生成することを特徴とする請求項１または２に記載の画像処理装置。
【請求項４】
前記制御手段は、さらに、前記記憶部および前記第２画像処理手段が接続されている場合、前記第２画像処理手段により前記画像データの画像領域の一部をマスクする画像処理を施して前記出力データを生成することを特徴とする請求項１から３のいずれか一に記載の画像処理装置。
【請求項５】
前記制御手段は、さらに、前記記憶部および前記第２画像処理手段が接続されている場合、前記第２画像処理手段により前記画像データの画像を鏡像変換する画像処理を施して前記出力データを生成することを特徴とする請求項１から４のいずれか一に記載の画像処理装置。
【請求項６】
前記画像データを表示する表示手段をさらに備え、
前記制御手段は、さらに、前記記憶部および前記第２画像処理手段が接続されている場合、前記画像データに対して前記第１画像処理手段により前記表示手段の特性に応じた画像処理を施して前記表示手段に表示可能な画像データを生成し、生成した画像データを前記表示手段に表示することを特徴とする請求項１から５のいずれか一に記載の画像処理装置。
【請求項７】
コンピュータを、
原稿を読取り電子化した画像データを得る画像読取手段と、
読み取られた前記画像データに対して画像処理を施す第１画像処理手段と、
前記第１画像処理ステップにより画像処理が施された前記画像データを格納する記憶部と、前記記憶部に格納された前記画像データを受け取って、前記第１画像処理手段とは異なる画像処理を施す第２画像処理手段と、を接続可能な制御手段と、
前記画像データの出力指示を受け付ける受付手段と、
出力指示の受付に応じて前記画像データを出力する出力手段と、して機能させ、
前記制御手段は、前記記憶部および前記第２画像処理手段が接続されている場合、前記画像データに対して前記第１画像処理手段により前記出力手段の特性によらない画像処理を施して再利用可能な画像データを生成し、生成した画像データを前記記憶部に格納し、所望の出力手段への出力指示に応じて、取得した前記画像データに対して前記第２画像処理手段により前記出力手段の特性に応じた画像処理を施して出力データを生成して当該出力手段に渡すプログラム。
【請求項８】
画像読取手段が、原稿を読取り電子化した画像データを得る画像読取ステップと、
第１の画像処理手段が、読み取られた前記画像データに対して画像処理を施す第１画像処理ステップと、
制御手段が、前記第１画像処理ステップにより画像処理が施された前記画像データを格納する記憶部と、前記記憶部に格納された前記画像データを受け取って、前記第１画像処理手段とは異なる画像処理を施す第２画像処理手段と、を接続する制御ステップと、
受付手段が、画像処理が施された前記画像データの出力指示を受け付ける受付ステップと、
少なくとも１以上の出力手段が、出力指示の受付に応じて前記画像データを出力する出力ステップと、を含み、
前記制御ステップは、前記制御手段が、前記記憶部および前記第２画像処理手段が接続されている場合、前記画像データに対して前記第１画像処理手段により前記出力手段の特性によらない画像処理を施して再利用可能な画像データを生成し、生成した画像データを前記記憶部に格納し、所望の出力手段への出力指示に応じて、取得した前記画像データに対して前記第２画像処理手段により前記出力手段の特性に応じた画像処理を施して出力データを生成して当該出力手段に渡すことを特徴とする画像処理方法。
【発明の詳細な説明】
【技術分野】
【０００１】
本発明は、複写機、ファクシミリ、プリンタ、スキャナ等の機能を複合したデジタル複合機（ＭＦＰ）などの画像処理装置、プログラムおよび画像処理方法に関するものである。
【背景技術】
【０００２】
近年、デジタル複合機（ＭＦＰ）においては、ＭＦＰ内部に設けられたハードディスク装置にデジタル画像データを蓄積・保存しておき、その情報が必要になった場合に、再出力する使われ方が増えてきている。
【０００３】
ところが、ＭＦＰ内部に設けられたハードディスク装置に蓄積・保存しておいた画像データを再度出力する場合、データの蓄積・保存時から時間が経過していることが多く、その間に再出力操作者の状況、すなわち要求・ニーズが変化することが多くなっており、その要求・ニーズの変化に対応できないという問題・課題が発生してきている。
【０００４】
例えば、コピー機能を使用したときにＭＦＰ内部に設けられたハードディスク装置に保存した画像データを、ファックス送信したい場合に画質が大きく異なってしまったり、生産性が著しく落ちてしまったりするという問題がある。
【０００５】
また、コピー機能を使用したときに、Ａ４原稿２枚をＡ４転写紙１枚に集約しながら、ＭＦＰ内部に設けられたハードディスク装置に保存した画像データを、後からＡ４原稿２枚をＡ４転写紙２枚にプロット出力した場合にも画質が大きく異なってしまったり、生産性が著しく落ちてしまったりするという問題がある。
【０００６】
そこで、特許文献１では、ＭＦＰ内部に設けられたハードディスク装置に蓄積・保存した画像データに対し、画像処理を行う第２の画像処理手段を設けるようにしている。
【０００７】
【特許文献１】特開２００２−１１１９８８号公報
【発明の開示】
【発明が解決しようとする課題】
【０００８】
しかしながら、上記特許文献１に記載された技術は、高生産性・高品位で多機能な大型のＭＦＰのように、コストに制約の少ないＭＦＰには適用できるものの、ハードディスク装置および複数の画像処理手段を備える必要があるため、手軽に複写機・ファクシミリ・プリンター・スキャナの機能を使用でき、かつ低コストで製造できる小型のＭＦＰには適用することができないという問題があった。
【０００９】
本発明は、上記に鑑みてなされたものであって、ユーザの要求に応じた記憶部および第２画像処理手段を拡張することができるので、低コストで拡張性に優れた画像処理装置、プログラムおよび画像処理方法を提供することを目的とする。
【課題を解決するための手段】
【００１０】
上述した課題を解決し、目的を達成するために、請求項１にかかる発明は、原稿を読取り電子化した画像データを得る画像読取手段と、読み取られた前記画像データに対して画像処理を施す第１画像処理手段と、前記第１画像処理手段により画像処理が施された前記画像データを格納する記憶部と、前記記憶部に格納された前記画像データを受け取って、前記第１画像処理手段とは異なる画像処理を施す第２画像処理手段と、を接続可能な制御手段と、前記画像データの出力指示を受け付ける受付手段と、出力指示の受付に応じて前記画像データを出力する少なくとも１以上の出力手段と、を備え、前記制御手段は、前記記憶部および前記第２画像処理手段が接続されている場合、前記画像データに対して前記第１画像処理手段により前記出力手段の特性によらない画像処理を施して再利用可能な画像データを生成し、生成した画像データを前記記憶部に格納し、所望の出力手段への出力指示に応じて、取得した前記画像データに対して前記第２画像処理手段により前記出力手段の特性に応じた画像処理を施して出力データを生成して当該出力手段に渡すことを特徴とする。
【００１１】
また、請求項２にかかる発明は、請求項１にかかる発明において、前記制御手段は、さらに、前記記憶部および前記第２画像処理手段が接続されている場合、前記第２画像処理手段により前記画像データの画像領域の一部を削除する画像処理を施して前記出力データを生成することを特徴とする。
【００１２】
また、請求項３にかかる発明は、請求項１または２にかかる発明において、前記制御手段は、さらに、前記記憶部および前記第２画像処理手段が接続されている場合、前記第２画像処理手段により前記画像データの画像領域に新たな画像領域を追加する画像処理を施して前記出力データを生成することを特徴とする。
【００１３】
また、請求項４にかかる発明は、請求項１から３のいずれか一にかかる発明において、前記制御手段は、さらに、前記記憶部および前記第２画像処理手段が接続されている場合、前記第２画像処理手段により前記画像データの画像領域の一部をマスクする画像処理を施して前記出力データを生成することを特徴とする。
【００１４】
また、請求項５にかかる発明は、請求項１から４のいずれか一にかかる発明において、前記制御手段は、さらに、前記記憶部および前記第２画像処理手段が接続されている場合、前記第２画像処理手段により前記画像データの画像を鏡像変換する画像処理を施して前記出力データを生成することを特徴とする。
【００１５】
また、請求項６にかかる発明は、請求項１から５のいずれか一にかかる発明において、前記画像データを表示する表示手段をさらに備え、前記制御手段は、さらに、前記記憶部および前記第２画像処理手段が接続されている場合、前記画像データに対して前記第１画像処理手段により前記表示手段の特性に応じた画像処理を施して前記表示手段に表示可能な画像データを生成し、生成した画像データを前記表示手段に表示することを特徴とする。
【００１６】
また、請求項７にかかる発明は、コンピュータを、原稿を読取り電子化した画像データを得る画像読取手段と、読み取られた前記画像データに対して画像処理を施す第１画像処理手段と、前記第１画像処理ステップにより画像処理が施された前記画像データを格納する記憶部と、前記記憶部に格納された前記画像データを受け取って、前記第１画像処理手段とは異なる画像処理を施す第２画像処理手段と、を接続可能な制御手段と、前記画像データの出力指示を受け付ける受付手段と、出力指示の受付に応じて前記画像データを出力する出力手段と、して機能させ、前記制御手段は、前記記憶部および前記第２画像処理手段が接続されている場合、前記画像データに対して前記第１画像処理手段により前記出力手段の特性によらない画像処理を施して再利用可能な画像データを生成し、生成した画像データを前記記憶部に格納し、所望の出力手段への出力指示に応じて、取得した前記画像データに対して前記第２画像処理手段により前記出力手段の特性に応じた画像処理を施して出力データを生成して当該出力手段に渡す。
【００１７】
また、請求項８にかかる発明は、画像読取手段が、原稿を読取り電子化した画像データを得る画像読取ステップと、第１の画像処理手段が、読み取られた前記画像データに対して画像処理を施す第１画像処理ステップと、制御手段が、前記第１画像処理ステップにより画像処理が施された前記画像データを格納する記憶部と、前記記憶部に格納された前記画像データを受け取って、前記第１画像処理手段とは異なる画像処理を施す第２画像処理手段と、を接続する制御ステップと、受付手段が、画像処理が施された前記画像データの出力指示を受け付ける受付ステップと、少なくとも１以上の出力手段が、出力指示の受付に応じて前記画像データを出力する出力ステップと、を含み、前記制御ステップは、前記制御手段が、前記記憶部および前記第２画像処理手段が接続されている場合、前記画像データに対して前記第１画像処理手段により前記出力手段の特性によらない画像処理を施して再利用可能な画像データを生成し、生成した画像データを前記記憶部に格納し、所望の出力手段への出力指示に応じて、取得した前記画像データに対して前記第２画像処理手段により前記出力手段の特性に応じた画像処理を施して出力データを生成して当該出力手段に渡すことを特徴とする。
【発明の効果】
【００１８】
本発明によれば、記憶部と第２画像処理手段とを制御手段に対して接続可能とする共に、記憶部および第２画像処理手段が接続されている場合、制御手段が画像データに対して第１画像処理手段により出力手段の特性によらない画像処理を施して再利用可能な画像データを生成するようにしたことにより、ユーザの要求に応じた記憶部および第２画像処理手段の拡張が可能になるので、低コストで拡張性に優れた装置を提供できる、という効果を奏する。
【発明を実施するための最良の形態】
【００１９】
以下に添付図面を参照して、この発明にかかる画像処理装置、プログラムおよび画像処理方法の最良な実施の形態を詳細に説明する。
【００２０】
（第１の実施の形態）
本発明の実施の一形態を図１および図２に基づいて説明する。本実施の形態は、画像処理装置として、コピー機能、ファクシミリ（ＦＡＸ）機能、プリンタ機能、および入力画像（読み取り原稿画像やプリンタ或いはＦＡＸ機能により入力された画像）を配信する機能、を複合したいわゆる複合機であるデジタルカラー複合機を適用した例を示す。
【００２１】
図１は、本実施の形態にかかるデジタルカラー複合機１００のシステム構成を示すブロック図である。図１に示すデジタルカラー複合機１００は、画像読取り装置である読取装置１０１、第１の画像データ処理装置１０２、バス制御装置１２０、第２の画像データ処理装置１２１、メモリ装置であるＨＤＤ（Hard Disk Drive）１２２、ＣＰＵ（Central Processing Unit）１０３、メモリ１０４、画像形成装置（画像処理部）である書込み装置１０６、インタフェース装置である書込みI／Ｆ装置１０５、操作表示装置１０７、インタフェース装置である回線Ｉ／Ｆ装置１０８、インタフェース装置である外部Ｉ／Ｆ装置１０９、Ｓ．Ｂ．（South Bridge）１１０、ＲＯＭ（Read Only Memory）１１１、ＳＤカードスロット１１６などを備えている。
【００２２】
読取装置１０１は、ＣＣＤ光電変換素子からなるラインセンサとＡ／Ｄコンバータとそれらの駆動回路を具備し、セットされた原稿をスキャンすることで得る原稿の濃淡情報から、ＲＧＢ各８ビットのデジタル画像データを生成し出力する。
【００２３】
第１の画像データ処理装置１０２は、読取装置１０１から出力されたデジタル画像データに対して画像処理を施す。具体的には、第１の画像データ処理装置１０２は、デジタル画像データに対して予め定めた特性に応じた画像処理を施して再利用可能な画像データを生成する。または、第１の画像データ処理装置１０２は、デジタル画像データに対して出力装置の特性に応じた画像処理を施して出力データを生成する。
【００２４】
ここで、予め定めた特性とは、出力装置によらない再利用可能なデジタル画像データを生成するための特性である。出力装置の特性とは、出力装置で画像変換できる特性である。ここで、出力装置とは、例えば、書込み装置１０６、ＦＡＸ装置１１２、ＰＣ１１３、ＭＦＰ１１４等をいう。
【００２５】
バス制御装置１２０は、デジタルカラー複合機１００内で必要な画像データや制御コマンド等の各種データのやり取りを行うデータバスの制御装置であり、複数種のバス規格間のブリッジ機能も有している。本実施の形態にかかるバス制御装置１２０は、第２の画像データ処理装置１２１と、ＣＰＵ１０３とはPCI-Expressバスで接続され、ＨＤＤ１２２とはＡＴＡバスで接続される。なお、本実施の形態にかかるバス制御装置１２０および第２の画像データ処理装置１０２は、単一のチップ上に集約した集積回路に搭載され、ＡＳＩＣ化されている。
【００２６】
ＨＤＤ１２２は、パーソナルコンピュータなどにも使用されている電子データを保存するための大型の記憶装置で、デジタルカラー複合機１００内では主にデジタル画像データおよびデジタル画像データの付帯情報（例えば、処理モードなど）を記憶する。本実施の形態にかかるＨＤＤ１２２は、バス制御装置１２０に接続可能に構成されており、第１の画像データ処理装置１０２により画像処理が施された画像データを記憶する。また、本実施の形態においては、ＩＤＥを拡張して規格化されているＡＴＡバス接続のハードディスクを使用する。
【００２７】
第２の画像データ処理装置１２１は、バス制御装置１２０に接続可能に構成され、ＨＤＤ１２２に格納されたデジタル画像データを受け取って、当該デジタル画像データに対して第１の画像データ処理装置１０２とは異なる画像処理を施す。具体的には、第２の画像データ処理装置１２１は、デジタル画像データに対してユーザにより指定された出力装置の特性に応じた画像処理を施して出力データを生成する。
【００２８】
ＲＯＭ１１１は、ＣＰＵ１０３がデジタルカラー複合機１００の制御を行う際の各種プログラム（含むブート）を格納するメモリである。
【００２９】
また、ＲＯＭ１１１には、予め定めた特性に応じた特性パラメータおよび出力装置の特性に応じた特性パラメータが格納されている。ここで、特性パラメータとは、各画像データ処理装置が備える各部の動作を設定する値であり、例えば、フィルタパラメータ、色変換パラメータ、変倍パラメータ、階調パラメータ等である。本実施の形態では、予め定めた特性に応じた特性パラメータを特性パラメータＡとする。また、出力装置の特性に応じた特性パラメータを特性パラメータＢとする。なお、特性パラメータＢは、出力装置ごとに異なる値のパラメータが設定されているものとする。
【００３０】
ＣＰＵ１０３は、デジタルカラー複合機１００の制御全体を司るマイクロプロセッサである。また、本実施の形態においては、近年普及してきたＣＰＵコア単体に＋αの機能を追加したIntegrated ＣＰＵを使用した。本実施の形態においては、汎用規格Ｉ／Ｆとの接続機能や、クロスバースイッチを使ったこれらバス接続機能がインテグレートされたＣＰＵを使用する。
【００３１】
ここで、ＲＯＭ１１１に格納されている各種のプログラムがＣＰＵ１０３に実行させる機能のうち、本実施の形態のデジタルカラー複合機１００が備える特長的な機能について説明する。
【００３２】
ＣＰＵ１０３は、ＲＯＭ１１１に格納されたプログラムに従うことにより、制御部１０３ａを実現する。
【００３３】
制御部１０３ａは、バス制御装置１２０の接続の有無に基づいて、デジタル画像データに対して第１の画像データ処理装置１０２および第２の画像データ処理装置１２１により施す画像処理、ＨＤＤ１２２へのデジタル画像データの格納、および出力データの出力を制御する。
【００３４】
具体的には、制御部１０３ａは、バス制御装置１２０が接続されている場合、読み取られたデジタル画像データに対して第１の画像データ処理装置１０２により予め定めた特性に応じた画像処理を施して再利用可能なデジタル画像データを生成し、生成した画像データをＨＤＤ１２２に格納する。そして、制御部１０３ａは、操作表示装置１０７で受け付けた出力装置への出力指示に応じてＨＤＤ１２２からデジタル画像データを取得して、取得したデジタル画像データに対して第２の画像データ処理装置１２１により出力装置の特性に応じた画像処理を施して出力データを生成して出力装置に渡す。
【００３５】
一方、制御部１０３ａは、バス制御装置１２０が接続されていない場合、読み取られたデジタル画像データに対して第１の画像データ処理装置１０２により出力装置の特性に応じた画像処理を施して出力データを生成して出力装置に渡す。
【００３６】
なお、本実施の形態にかかる制御部１０３ａは、バス制御装置１２０が接続されているか否かに基づいて、ＲＯＭ１１１に格納された特性パラメータを第１の画像データ処理装置１０２および第２の画像データ処理装置１２１に設定することにより、第１の画像データ処理装置１０２および第２の画像データ処理装置１２１における画像処理を制御する。
【００３７】
つまり、制御部１０３ａは、バス制御装置１２０が接続されている場合、第１の画像データ処理装置１０２に特性パラメータＡを設定し、かつ第２の画像データ処理装置１２１に特性パラメータＢを設定する。一方、制御部１０３ａは、バス制御装置１２０が接続されていない場合、第１の画像データ処理装置１０２に特性パラメータＢを設定する。これにより、制御部１０３ａは、各画像データ制御装置において行われる画像処理を制御する。
【００３８】
メモリ１０４は、複数種のバス規格間をブリッジする際の速度差や、接続された部品自体の処理速度差を吸収するために、一時的にやりとりするデータを記憶したり、ＣＰＵ１０３がデジタルカラー複合機１００の制御を行う際に、プログラムや中間処理データを一時的に記憶する揮発性メモリである。したがって、ＣＰＵ１０３は、メモリ１０４に対して、出力データを自由に読み書きすることができる。
【００３９】
また、ＣＰＵ１０３は、高速処理を求められるため、通常起動時にＲＯＭ１１１に記憶されたブートプログラムにてシステムを起動し、その後は高速にアクセス可能なメモリ１０４に展開されたプログラムによって処理を行う。本実施の形態においては、規格化されたパーソナルコンピュータに使用されているＤＩＭＭを使用する。
【００４０】
書込みI／Ｆ装置１０５は、ＣＰＵ１０３にインテグレートされた汎用規格Ｉ／Ｆ経由で送られてくるＣＭＹＫからなる出力データを受け取ると、書き込み装置１０６の専用Ｉ／Ｆに出力するバスブリッジ処理を行う。本実施の形態で使用している汎用規格Ｉ／ＦはPCI-Expressバスである。
【００４１】
書込み装置１０６は、ＣＭＹＫからなる出力データを受け取ると、レーザビームを用いた電子写真プロセスを使って、転写紙に受け取った出力データを出力する。
【００４２】
Ｓ．Ｂ．１１０は、パーソナルコンピュータに使用されるチップセットの一つであり、South Bridgeと呼ばれる汎用の電子デバイスである。主に、PCI-ExpressとＩＳＡブリッジを含むＣＰＵシステムを構築する際によく使用されるバスのブリッジ機能を汎用回路化したものであり、本実施の形態においてはＲＯＭ１１１との間をブリッジしている。
【００４３】
操作表示装置１０７は、デジタルカラー複合機１００とユーザのインタフェースを行う部分であり、画像処理装置１００の様々な状態や操作方法を促すための表示を行うＬＣＤと、利用者からの入力指示を検知するスイッチ群とを有して構成される。例えば、操作表示装置１０７は、デジタル画像データの出力指示や少なくとも１以上の出力装置の指定等を受け付ける。なお、操作表示装置１０７は、PCI−Expressバスを介してＣＰＵ１０３と接続されている。
【００４４】
また、操作表示装置１０７は、バス制御装置１２０がＣＰＵ１０３に接続されている場合、第１の画像データ処理装置１０２により予め定めた特性に応じた画像処理が施されて生成された再利用可能なデジタル画像データを表示する。
【００４５】
図２は、本実施の形態にかかる操作表示装置１０７の内部構成を示すブロック図である。操作表示装置１０７は、操作表示制御回路２０１、ＬＣＤ回路２０２およびスイッチ回路２０３を備えて構成される。
【００４６】
操作表示制御回路２０１は、ＣＰＵ１０３と、ＬＣＤ回路２０２と、スイッチ回路２０３とのやり取りを制御する回路である。具体的には、ＣＰＵ１０３から指示される表示コマンドに従い、ＬＣＤに指示された内容を表示するようにＬＣＤ回路２０２を駆動させるとともに、スイッチ回路２０３からの入力を検知し、どのスイッチがどのように操作されたかを示す情報をＣＰＵ１０３に通知する。
【００４７】
ＬＣＤ回路２０２は、ＬＣＤを駆動する回路であり、操作表示制御回路２０１からの指示に従って、利用者に対する各種情報を表示する。また、ＬＣＤ回路２０２は、ＲＧＢの画像データを表示することが可能である。
【００４８】
スイッチ回路２０３は、各種処理モード設定キーや、置数キー、スタートキーなどを備えたキースイッチ群の操作を検知し、その情報を操作表示制御回路２０１に通知する。また、スイッチ回路２０３は、キースイッチ群の操作を検知して、上述した処理モードの選択を操作表示制御回路２０１に通知する。
【００４９】
回線Ｉ／Ｆ装置１０８は、PCI-Expressバスと電話回線を接続する装置である。この回線Ｉ／Ｆ装置１０８により、デジタルカラー複合機１００は、電話回線を介して画像出力装置（画像処理部）であるＦＡＸ１１２との各種データの授受を行うことが可能になる。なお、ＦＡＸ１１２は、通常のファクシミリであり、電話回線を介してデジタルカラー複合機１００とデジタル画像データ等の授受を行う。
【００５０】
外部Ｉ／Ｆ装置１０９は、PCI-Expressバスとパーソナルコンピュータなどの画像出力装置（画像処理部）であるＰＣ１１３およびＭＦＦ１１４を接続する装置である。この外部Ｉ／Ｆ装置１０９により、デジタルカラー複合機１００は、ＰＣ１１３およびＭＦＰ１１４と各種データのやり取りを行うことが可能になる。本実施の形態では、その接続Ｉ／Ｆにネットワーク（Ethernet（登録商標））を使用する。すなわち、デジタルカラー複合機１００は、外部Ｉ／Ｆ装置１０９を介してネットワークに接続されている。なお、ＰＣ１１３およびＭＦＰ１１４は、インストールされたアプリケーションソフトやドライバを介して、デジタルカラー複合機１００に対して各種制御や画像データの入出力を行う。また、外部Ｉ／Ｆ回路部１０９は、ＳＤカードスロット１１６を介してＳＤカードメモリ１１５との接続を行う。
【００５１】
ＰＣ１１３は、いわゆるパーソナルコンピュータである。ユーザは、パーソナルコンピュータにインストールされたアプリケーションソフトやドライバを介して、デジタルカラー複合機１００に対して各種制御やデジタル画像データ等の入出力を行う。
【００５２】
ＭＦＰ１１４は、ネットワーク上に存在する他の画像処理装置である。
【００５３】
ＳＤカードメモリ１１５は、外部メディアであり、デジタル画像データを含む各種電子データを含む各種電子データを記録する。なお、本実施の形態においては、外部メディアとしてＳＤカードメモリを適用したが、これに限定するものではない。例えば、コンパクトフラッシュ（登録商標）カード等のメモリデバイスであってもよい。
【００５４】
次に、本実施の形態のデジタルカラー複合機１００における特徴的な処理である原稿をスキャンした画像データを出力する場合の処理について説明する。
【００５５】
（コピー動作）
まず、コピー処理についての動作処理について説明する。ユーザが原稿を読取装置１０１にセットし、所望するモード等の設定とコピー動作開始の入力を操作表示装置１０７に行うと、操作表示装置１０７は、ユーザから入力された情報を、デジタルカラー複合機１００内部のコピー開始の制御コマンドデータに変換して発行する。発行されたコピー開始の制御コマンドデータは、PCI-Expressバスを介してＣＰＵ１０３に通知される。
【００５６】
ＣＰＵ１０３は、コピー開始の制御コマンドデータに従って、ＲＯＭ１１１に格納されたプログラムを実行し、コピー動作に必要な設定や動作を順に行っていく。以下に動作プロセスを順に記す。
【００５７】
読取装置１０１で原稿をスキャンして得られたＲＧＢ各８ビットのデジタル画像データは、第１の画像データ処理装置１０２で画像処理が施される。なお、制御部１０３ａは、読取装置１０１による原稿の読取りが開始される前に、バス制御装置１２０が接続されている否かに基づいて、各画像データ処理装置に特性パラメータを設定するものとする。
【００５８】
まず、バス制御装置１２０が接続されていない場合における第１の画像データ処理装置１０２の画像処理について説明する。制御部１０３ｂは、バス制御装置１２０が接続されていない場合、第１の画像データ処理装置１０２に特性パラメータＢを設定し、読み取られたデジタル画像データに対して第１の画像データ処理装置１０２により書込み装置１０６の特性に応じた画像処理を施して出力データを生成する。
【００５９】
図３は、第１の画像処理装置１０２の処理ブロック図である。図３に示すように、第１の画像データ処理装置１０２は、フィルタ処理部３０１、色変換部３０２、変倍処理部３０３、階調処理部３０４を備えている。
【００６０】
フィルタ処理部３０１は、ＲＧＢ画像データの鮮鋭性を、書込み装置１０６に出力する場合の再現性が良くなるように補正する。具体的には、所望するモード情報に従って、鮮鋭化／平滑化処理を施す。例えば、文字モードでは文字をハッキリ／クッキリとさせるために鮮鋭化処理を施し、写真モードでは滑らかに階調性を表現するため平滑化処理を施す。本実施の形態における変換の方式は、既知の３次元ルックアップ方式を採用する。
【００６１】
色変換部３０２は、ＲＧＢ各８ビットのデータを受け取ると書込み装置１０６用の色空間であるＣＭＹＫ各８ビットに変換する。このとき、ユーザが所望するモード情報にて、彩度も併せて調整する。
【００６２】
変倍処理部３０３は、ＣＭＹＫ画像データのサイズ（解像度）について書込み装置１０６の再現性能に従ったサイズ（解像度）変換を行う。本実施の形態では、読取装置１０１および書込み装置１０６の性能が共に６００ｄｐｉ出力であるため、特に変換は行わない。
【００６３】
階調処理部３０４は、ＣＭＹＫ各８ビットを受け取ると書込み装置１０６の階調処理能力に従った階調数変換処理を行う。本実施の形態では、ＣＭＹＫ各２ビットに擬似中間調処理の一つである誤差拡散法を用いて階調数変換する。
【００６４】
なお、制御部１０３ａは、第１の画像データ処理装置１０２により出力データが生成されると、生成された出力データを受け取り、一旦メモリ１０４に蓄積する。そして、メモリ１０４に蓄積された出力データは、書込みＩ／Ｆ装置１０５を介して書込み装置１０６に出力され、原稿のコピーが生成される。
【００６５】
次に、バス制御装置１２０が接続されている場合における第１の画像データ処理装置１０２および第２の画像データ処理装置１２１の画像処理について説明する。なお、バス制御装置１２０が接続されている場合、制御部１０３ａは、第１の画像データ処理装置１０２に特性パラメータＡを設定し、かつ第２の画像データ処理装置１２１に特性パラメータＢを設定する。
【００６６】
第１の画像データ処理装置１０２および第２の画像データ処理装置１２１は、図３に示す処理ブロックと同様の処理ブロックにより構成されるものとする。以下の説明では、第１の画像データ処理装置１０２および第２の画像データ処理装置１２１について、図３に示す第１の画像データ処理装置１０１の各処理ブロックの処理と異なる処理について説明する。
【００６７】
まず、第１の画像データ処理装置１０２について図３を参照しつつ説明する。フィルタ処理部３０１は、ＲＧＢ画像データの鮮鋭性を予め定めた特性に統一する。色変換部３０２は、ＲＧＢ画像データの色を予め定めた特性に統一する。本実施の形態では、色空間が標準色空間、例えば汎用であるｓＲＧＢ色空間になるように変換する。変倍処理部３０３は、ＲＧＢ画像データのサイズ（解像度）を予め定めた特性に統一する。階調処理部３０４は、階調数変換は行わない。
【００６８】
制御部１０３ａは、上述した処理により第１の画像データ処理装置１０２により再利用可能なデジタル画像データが生成されると、生成されたデジタル画像データを受け取り、バス制御装置１２０を介して当該デジタル画像データをＨＤＤ１２２に格納する。そして、制御部１０３ａは、操作表示装置１０７で受け付けた出力指示に応じてＨＤＤ１２２に格納されたデジタル画像データを取得して、取得したデジタル画像データに対して第２の画像データ処理装置１２１により画像処理を施す。
【００６９】
なお、制御部１０３ａは、第１の画像データ処理装置１０２により再利用可能なデジタル画像データを生成した場合、生成したデジタル画像データを操作表示装置１０７に渡し、当該デジタル画像データをプレビュー画像として操作表示装置１０７に表示させることも可能である。その場合、制御部１０３ａは、操作表示装置１０７に表示可能なデジタル画像データに変換するための特性パラメータを第１の画像データ処理装置１０２に設定するものとする。
【００７０】
次に、第２の画像データ処理装置１２１について図３を参照しつつ説明する。フィルタ処理部３０１は、ＲＧＢ画像データの鮮鋭性を、書込み装置１０６に出力する場合の再現性が良くなるように補正する。色変換部３０２は、ＲＧＢ各８ビットのデータを受け取ると書込み装置１０６用の色空間であるＣＭＹＫ各８ビットに変換する。変倍処理部３０３は、読取装置１０１および書込み装置１０６の性能が共に６００ｄｐｉ出力であるため、特に変換は行わない。階調処理部３０４では、ＣＭＹＫ各８ビットを受け取ると書込み装置１０６の階調処理能力に従い、ＣＭＹＫ各２ビットに疑似中間調処理の一つである誤差拡散法を用いて階調数変換する。
【００７１】
なお、制御部１０３ａは、上述した処理により第２の画像データ処理装置１０２により出力データを生成されると、生成された出力データを受け取り、一旦メモリ１０４に蓄積する。そして、メモリ１０４に蓄積された出力データは、書込みＩ／Ｆ装置１０５を介して書込み装置１０６に出力され、原稿のコピーが生成される。
【００７２】
このように、本実施の形態によれば、バス制御装置１２０をＣＰＵ１０３に対して接続可能とすると共に、バス制御装置１２０が接続されている場合、ＣＰＵ１０３が読み取られたデジタル画像データに対して第１の画像データ処理装置１０２により書込み装置１０６の特性によらない画像処理を施して再利用可能な画像データを生成するようにしたことにより、ユーザの要求に応じたＨＤＤ１２２および第２の画像データ処理装置１２１の拡張が可能になるので、低コストで拡張性に優れた装置を提供することができる。
【００７３】
また、本実施の形態によれば、デジタル画像データを複数の書込み装置１０６へ出力したい場合や一度画像処理を施したデジタル画像データを後日他の出力装置に出力した場合等、デジタル画像データを再利用したい場合に、ＨＤＤ１２２に格納したデジタル画像データを第２の画像データ処理装置１２１に出力し、画像処理を施すことができることとしたので、再度、読取装置１０１により原稿を読取り、第１の画像データ処理装置１０２により画像処理を施す必要がないため、より多彩なバリエーションでデジタルカラー複合機１００を利用することができる。
【００７４】
（送信処理）
次に、デジタル画像データの送信処理について説明する。ユーザが、原稿を読取装置１０１にセットし、所望するモード等の設定と送信開始の入力を操作表示装置１０７に行うと、操作表示装置１０７はユーザから入力された情報を、デジタルカラー複合機１００内部の送信開始の制御コマンドデータに変換して発行する。発行された送信開始の制御コマンドデータは、PCI-Expressバスを介してＣＰＵ１０３に通知される。
【００７５】
ＣＰＵ１０３は、送信開始の制御コマンドデータに従って、送信プロセスのプログラムを実行し、送信動作に必要な設定や動作を順に行っていく。以下に動作プロセスを順に記す。
【００７６】
読取装置１０１で原稿をスキャンして得られたＲＧＢ各８ビットのデジタル画像データは、第１の画像データ処理装置１０２で画像処理が施される。なお、制御部１０３ａは、コピー動作と同様に、読取装置１０１による原稿の読取りが開始される前に、バス制御装置１２０の接続の有無に基づいて、各画像データ処理装置に特性パラメータを設定する。
【００７７】
まず、バス制御装置１２０が接続されていない場合における第１の画像データ処理装置１０２の画像処理について説明する。なお、バス制御装置１２０が接続されていない場合、制御部１０３ａは、特性パラメータＢを第１の画像データ処理装置１０２に設定し、第１の画像データ処理装置１０２でＰＣ１１３の特性に応じた画像処理を施して出力データを生成する。
【００７８】
なお、第１の画像データ処理装置１０２は、図３に示す処理ブロックと同様の処理ブロックにより構成されるものとする。以下の説明では、第１の画像データ処理装置１０２について、図３に示す第１の画像データ処理装置１０１の各処理ブロックと異なる処理について説明する。
【００７９】
フィルタ処理部３０１は、ＲＧＢ画像データの鮮鋭性を補正する。色変換部３０２は、ＲＧＢ各８ビットのデータを受け取ると、ＰＣ１１３からＲＧＢフルカラーが指定されたため、色変換は行わない。変倍処理部３０３は、デジタル画像データのサイズ（解像度）を、ＰＣ１１３で送受されるサイズ（解像度）変換を行う。本実施の形態では、主走査：２００ｄｐｉ×副走査：１００ｄｐｉに変換する。階調処理部３０４では、ＲＧＢ８ビットを受け取るとＰＣ１１３で送受される階調処理能力に従った階調数変換処理を行う。本実施の形態では、ＰＣ１１３がＲＧＢフルカラーを指定したため、階調処理は行わない。
【００８０】
なお、制御部１０３ａは、第１の画像データ処理装置１０２により出力データが生成されると、生成された出力データを受け取り、一旦メモリ１０４に蓄積する。そして、メモリ１０４に蓄積された出力データは、外部Ｉ／Ｆ装置１０９を介してＰＣ１１３に送信される。
【００８１】
次に、バス制御装置１２０が接続されている場合における第１の画像データ処理装置１０２および第２の画像データ処理装置１２１の画像処理について説明する。なお、制御部１０３ａは、バス制御装置１２０が接続されている場合、第１の画像データ処理装置１０２に特性パラメータＡを設定し、かつ第２の画像データ処理装置１２１に特性パラメータＢを設定する。なお、第１の画像データ処理装置１０２および第２の画像データ処理装置１２１は、図３に示す処理ブロックと同様の処理ブロックにより構成されるものとする。以下の説明では、第１の画像データ処理装置１０２および第２の画像データ処理装置１２１について、図３に示す第１の画像データ処理装置１０１と異なる処理について説明する。
【００８２】
まず、第１の画像データ処理装置１０２について図３を参照しつつ説明する。フィルタ処理部３０１は、ＲＧＢ画像データの鮮鋭性を予め定めた特性に統一する。色変換部３０２は、ＲＧＢ画像データの色を予め定めた特性に統一する。本実施の形態では、色空間が標準色空間、例えば汎用であるｓＲＧＢ色空間になるように変換する。変倍処理部３０３は、ＲＧＢ画像データのサイズ（解像度）を予め定めた特性に統一する。本実施の形態では、読取装置１０１および書込み装置１０６の性能が共に６００ｄｐｉ出力であるため、特に変換は行わない。階調処理部３０４は、階調数変換は行わない。
【００８３】
その後、制御部１０３ａは、上述した処理により第１の画像データ処理装置１０２により再利用可能なデジタル画像データが生成されると、生成されたデジタル画像データをＨＤＤ１２２に格納する。そして、ＨＤＤ１２２に格納されたデジタル画像データは、第２の画像データ処理装置１２１によりＰＣ１１３の特性に応じた画像処理が施される。なお、第１の画像データ処理装置１０２によって生成された再利用可能なデジタル画像データは、コピー動作と同様の処理により操作表示装置１０７にプレビュー画像として表示することも可能である。
【００８４】
次に、第２の画像データ処理装置１２１について図３を参照しつつ説明する。フィルタ処理部３０１は、ＲＧＢ画像データの鮮鋭性を補正する。色変換部３０２は、ＲＧＢ各８ビットのデータを受け取ると、ＰＣ１１３からＲＧＢフルカラーが指定されたため、色変換は行わない。変倍処理部３０３は、デジタル画像データのサイズ（解像度）を、ＰＣ１１３で送受されるサイズ（解像度）変換を行う。本実施の形態では、主走査：２００ｄｐｉ×副走査：１００ｄｐｉに変換する。階調処理部３０４では、ＲＧＢ８ビットを受け取るとＰＣ１１３で送受される階調処理能力に従った階調数変換処理を行う。本実施の形態では、ＰＣ１１３がＲＧＢフルカラーを指定したため、階調処理は行わない。
【００８５】
なお、制御部１０３ａは、上述した処理により第２の画像データ処理装置１２１により出力データが生成されると、生成された出力データを受け取り、一旦メモリ１０４に蓄積する。そして、メモリ１０４に蓄積された出力データは、外部Ｉ／Ｆ装置１０９を介してＰＣ１１３に送信される。
【００８６】
このように、本実施の形態によれば、バス制御装置１２０をＣＰＵ１０３に対して接続可能とすると共に、バス制御装置１２０が接続されている場合、ＣＰＵ１０３が読み取られたデジタル画像データに対して第１の画像データ処理装置１０２によりＰＣ１１３の特性によらない画像処理を施して再利用可能な画像データを生成するようにしたことにより、ユーザの要求に応じたＨＤＤ１２２および第２の画像データ処理装置１２１の拡張が可能になるので、低コストで拡張性に優れた装置を提供することができる。
【００８７】
また、本実施の形態によれば、デジタル画像データを複数のＰＣ１１３へ出力したい場合や一度画像処理を施したデジタル画像データを後日他の出力装置に出力した場合等、デジタル画像データを再利用したい場合に、ＨＤＤ１２２に格納したデジタル画像データを第２の画像データ処理装置１２１に出力し、画像処理を施すことができることとしたので、再度、読取装置１０１により原稿を読取り、第１の画像データ処理装置１０２により画像処理を施す必要がないため、より多彩なバリエーションでデジタルカラー複合機１００を利用することができる。
【００８８】
（第２の実施の形態）
図４は、本発明の第２の実施の形態にかかる第１の画像データ処理装置１０２および第２の画像データ処理装置１２１の構成を示すブロック図である。上述した第１の実施の形態にかかる第１の画像データ処理装置１０２および第２の画像データ処理装置１２１とは、領域削除部４０１が追加されている点で異なる。以下の説明では、上述した第１の実施の形態と同一の構成要素には同一の符号を付してその説明を省略している。
【００８９】
領域削除部４０１は、階調処理部３０４によって階調処理が施されたデジタル画像データが示す画像の画像領域の一部を削除する。図５は、画像領域の一部を削除する処理を示す説明図である。領域削除部４０１は、図５に示すように、加工前のデジタル画像データから斜線部分の画像を削除する。
【００９０】
本実施の形態にかかる制御部１０３ａは、バス制御装置１２０が接続されている場合、第１の画像データ処理装置１０２に領域削除部４０１の動作を設定する値（以下、領域削除パラメータとする）を含まない特性パラメータＡを設定し、第２の画像データ処理装置１２１に領域削除パラメータを含む特性パラメータＢを設定する。一方、制御部１０３ａは、バス制御装置１２０が接続されていない場合、第１の画像データ処理装置１０２に領域削除パラメータを含む特性パラメータＢを設定する。
【００９１】
このように、本実施の形態によれば、デジタル画像データを複数の出力装置へ出力したい場合や一度画像処理を施したデジタル画像データを後日他の出力装置に出力した場合等、デジタル画像データを再利用したい場合に、ＨＤＤ１２２に格納したデジタル画像データを第２の画像データ処理装置１２１に出力し、領域削除処理を施すことができることとしたので、再度、読取装置１０１により原稿を読取り、第１の画像データ処理装置１０２により領域削除処理を施す必要がないため、より多彩なバリエーションでデジタルカラー複合機１００を利用することができる。
【００９２】
（第３の実施の形態）
図６は、本発明の第３の実施の形態にかかる第１の画像データ処理装置１０２および第２の画像データ処理装置１２１の構成を示すブロック図である。上述した第１の実施の形態にかかる第１の画像データ処理装置１０２および第２の画像データ処理装置１２１とは、領域追加部６０１が追加されている点で異なる。以下の説明では、上述した第１の実施の形態と同一の構成要素には同一の符号を付してその説明を省略している。
【００９３】
領域追加部６０１は、階調処理部３０４によって階調処理が施されたデジタル画像データが示す画像に画像領域を追加する。図７は、画像領域を追加する処理を示す説明図である。領域追加部６０１は、図７に示すように、加工前のデジタル画像データに白地領域の画像を追加する。
【００９４】
本実施の形態にかかる制御部１０３ｂは、バス制御装置１２０が接続されている場合、第１の画像データ処理装置１０２に領域追加部６０１の動作を設定する値（以下、領域追加パラメータとする）を含まない特性パラメータＡを設定し、第２の画像データ処理装置１２１に領域追加パラメータを含む特性パラメータＢを設定する。一方、制御部１０３ｂは、バス制御装置１２０が接続されていない場合、第１の画像データ処理装置１０２に領域追加パラメータを含む特性パラメータＢを設定する。
【００９５】
このように、本実施の形態によれば、デジタル画像データを複数の出力装置へ出力したい場合や一度画像処理を施したデジタル画像データを後日他の出力装置に出力した場合等、デジタル画像データを再利用したい場合に、ＨＤＤ１２２に格納したデジタル画像データを第２の画像データ処理装置１２１に出力し、領域追加処理を施すことができることとしたので、再度、読取装置１０１により原稿を読取り、第１の画像データ処理装置１０２により領域追加処理を施す必要がないため、より多彩なバリエーションでデジタルカラー複合機１００を利用することができる。
【００９６】
（第４の実施の形態）
図８は、本発明の第４の実施の形態にかかる第１の画像データ処理装置１０２および第２の画像データ処理装置１２１の構成を示すブロック図である。上述した第１の実施の形態にかかる第１の画像データ処理装置１０２および第２の画像データ処理装置１２１とは、マスク部８０１が追加されている点で異なる。以下の説明では、上述した第１の実施の形態と同一の構成要素には同一の符号を付してその説明を省略している。
【００９７】
マスク部８０１は、階調処理部３０４によって階調処理が施されたデジタル画像データが示す画像の一部をマスクする。図９は、画像をマスクする処理を示す説明図である。マスク部８０１は、図９に示すように、加工前のデジタル画像データの一部をマスクする。
【００９８】
本実施の形態にかかる制御部１０３ａは、バス制御装置１２０が接続されている場合、第１の画像データ処理装置１０２にマスク部８０１の動作を設定する値（以下、マスクパラメータとする）を含まない特性パラメータＡを設定し、第２の画像データ処理装置１２１にマスクパラメータを含む特性パラメータＢを設定する。一方、制御部１０３ａは、バス制御装置１２０が接続されていない場合、第１の画像データ処理装置１０２にマスクパラメータを含む特性パラメータＢを設定する。
【００９９】
このように、本実施の形態によれば、デジタル画像データを複数の出力装置へ出力したい場合や一度画像処理を施したデジタル画像データを後日他の出力装置に出力した場合等、デジタル画像データを再利用したい場合に、ＨＤＤ１２２に格納したデジタル画像データを第２の画像データ処理装置１２１に出力し、マスク処理を施すことができることとしたので、再度、読取装置１０１により原稿を読取り、第１の画像データ処理装置１０２によりマスク処理を施す必要がないため、より多彩なバリエーションでデジタルカラー複合機１００を利用することができる。
【０１００】
（第５の実施の形態）
図１０は、本発明の第５の実施の形態にかかる第１の画像データ処理装置１０２および第２の画像データ処理装置１２１の構成を示すブロック図である。上述した第１の実施の形態にかかる第１の画像データ処理装置１０２および第２の画像データ処理装置１２１とは、鏡像（鏡映）処理部１００１が追加されている点で異なる。以下の説明では、上述した第１の実施の形態と同一の構成要素には同一の符号を付してその説明を省略している。
【０１０１】
鏡像処理部１００１は、階調処理部３０４によって階調処理が施されたデジタル画像データが示す画像を鏡像変換する。図１１は、画像を鏡像変換する処理を示す説明図である。鏡像処理部１００１は、図１１に示すように、加工前のデジタル画像データを鏡に写した像に鏡像変換する。
【０１０２】
本実施の形態にかかる制御部１０３ａは、バス制御装置１２０が接続されている場合、第１の画像データ処理装置１０２に鏡像処理部１００１の動作を設定する値（以下、鏡像パラメータとする）を含まない特性パラメータＡを設定し、第２の画像データ処理装置１２１に鏡像パラメータを含む特性パラメータＢを設定する。一方、制御部１０３ａは、バス制御装置１２０が接続されていない場合、第１の画像データ処理装置１０２に鏡像パラメータを含む特性パラメータＢを設定する。
【０１０３】
このように、本実施の形態によれば、デジタル画像データを複数の出力装置へ出力したい場合や一度画像処理を施したデジタル画像データを後日他の出力装置に出力した場合等、デジタル画像データを再利用したい場合に、ＨＤＤ１２２に格納したデジタル画像データを第２の画像データ処理装置１２１に出力し、鏡像処理を施すことができることとしたので、再度、読取装置１０１により原稿を読取り、第１の画像データ処理装置１０２により鏡像処理を施す必要がないため、より多彩なバリエーションでデジタルカラー複合機１００を利用することができる。
【図面の簡単な説明】
【０１０４】
【図１】第１の実施の形態にかかるデジタルカラー複合機のシステム構成を示すブロック図である。
【図２】第１の実施の形態にかかる操作表示装置の内部構成を示すブロック図である。
【図３】第１の実施の形態にかかる画像処理装置の処理ブロック図である。
【図４】第２の実施の形態にかかる画像処理装置の処理ブロック図である。
【図５】画像領域の一部を削除する処理を示す説明図である。
【図６】第３の実施の形態にかかる画像処理装置の処理ブロック図である。
【図７】画像領域を追加する処理を示す説明図である。
【図８】第４の実施の形態にかかる画像処理装置の処理ブロック図である。
【図９】画像をマスクする処理を示す説明図である。
【図１０】第５の実施の形態にかかる画像処理装置の処理ブロック図である。
【図１１】画像を鏡像変換する処理を示す説明図である。
【符号の説明】
【０１０５】
１００  デジタルカラー複合機
１０１  読取装置
１０２  第１の画像データ処理装置
１０３  ＣＰＵ
１０３ａ  制御部
１０４  メモリ
１０５  書込みＩ／Ｆ装置
１０６  書込み装置
１０７  操作表示装置
１０８  回線Ｉ／Ｆ装置
１０９  外部Ｉ／Ｆ装置
１１０  Ｓ．Ｂ．
１１１  ＲＯＭ
１１２  ＦＡＸ装置
１１３  ＰＣ
１１４  ＭＦＰ
１１５  ＳＤ
１１６  ＳＤカードスロット
１２０  バス制御装置
１２１  第２の画像データ処理装置
１２２  ＨＤＤ
【図１】
2009071675.tif 000003
【図２】
2009071675.tif 000004
【図３】
2009071675.tif 000005
【図４】
2009071675.tif 000006
【図５】
2009071675.tif 000007
【図６】
2009071675.tif 000008
【図７】
2009071675.tif 000009
【図８】
2009071675.tif 000010
【図９】
2009071675.tif 000011
【図１０】
2009071675.tif 000012
【図１１】
2009071675.tif 000013